【事件の表示】
　特許第３０６６２２１号「単純マトリックス駆動型液晶表示装置」の請求項１に係る特許に対する特許異議の申立てについて、次のとおり決定する。
【結　論】
　訂正を認める。
　特許第３０６６２２１号の請求項１に係る特許を取り消す。
【理　由】
１．手続の経緯
　特許第３０６６２２１号の請求項１に係る発明についての出願は、平成５年６月２１日に出願され、平成１２年５月１２日に設定登録され、その後、セイコーエプソン株式会社、旭硝子株式会社から特許異議の申立てがなされ、平成１３年４月１３日付で取消理由通知がなされ、その指定期間内である平成１３年６月２５日に訂正請求がなされたものである。
　
２．訂正の適否
２−１．訂正事項
　平成１３年６月２５日付訂正請求書による訂正は、下記のとおりである。
　
ａ．特許請求の範囲の請求項１に記載の「Ｊ×Ｎ行でＭ列の単純マトリックス駆動型液晶表示パネルと、」を、「一つのグループの行数がＪ個で、そのグループ数が少なくとも２以上のＮ個からなる総行数Ｊ×Ｎ行でＭ列の単純マトリックス駆動型液晶表示パネルと、」と訂正する。
ｂ．特許明細書第４段落に記載の「２行目の選択時間ｔ２時に非点灯のデータに対応してＶ５（またはＶ０）の電圧値となり、」を、「２行目の選択時間ｔ２時に非点灯のデータに対応してＶ２（またはＶ３）の電圧値となり、」と訂正する。
ｃ．特許明細書第１４段落に記載の「即ち、Ｊ×Ｎ行でＭ列の単純マトリックス駆動型液晶表示パネルと、」を、「即ち、一つのグループの行数がＪ個で、そのグループ数が少なくとも２以上のＮ個からなる総行数Ｊ×Ｎ行でＭ列の単純マトリックス駆動型液晶表示パネルと、」と訂正する。
ｄ．特許明細書第１５段落に記載の「【作用】　Ｊ≦Ｎの範囲でＪを可及的に大きな値に設定することにより、このＪ行を同時駆動する単位として時分割駆動されるため、液晶表示パネルの駆動電圧を大幅に低減することができる。」を、「【作用】　一つのグループの行数がＪ個で、そのグループ数が少なくとも２以上のＮ個からなる総行数Ｊ×Ｎ行でＭ列の単純マトリックス駆動型液晶表示パネルを対象とし、上記グループ単位である行数Ｊ個を同時駆動する単位として、上記グループ数のＮ個を順次駆動させる時分割駆動の構成としているため、液晶表示パネルの駆動電圧を大幅に低減することができる。」と訂正する。
ｅ．特許明細書第１８段落に記載の「表示マトリックスへの行入力信号波形として、Ｆ11(t)〜ＦN3の３Ｎ個の関数を入力する。」を、「表示マトリックスへの行入力信号波形として、Ｆ11(t)〜ＦN3(t)の３Ｎ個の関数を入力する。」と訂正する。
ｆ．特許明細書第２６段落に記載の「従来技術の構成による表示駆動時に必要なとなる印加電圧に比較して約半分となる。」を、「従来技術の構成による表示駆動時に必要となる印加電圧に比較して約半分となる。」と訂正する。
ｇ．特許明細書第３４段落に記載の「６ビット程度のものを用いれば当該実施例例の実用化が可能である。」を、「６ビット程度のものを用いれば当該実施例の実用化が可能である。」と訂正する。
ｈ．特許明細書第４２段落に記載の「本来のフレーム周波数を下げれはよいことになる。」を、「本来のフレーム周波数を下げればよいことになる。」と訂正する。
ｉ．特許明細書第４４段落に記載の「以上のように本発明の単純マトリックス駆動型液晶表示装置によると、Ｊ行を同時駆動する単位として時分割駆動されるため、液晶表示パネルの駆動電圧を大幅に低減することができる。」を、「以上のように本発明の単純マトリックス駆動型液晶表示装置によると、一つのグループの行数がＪ個で、そのグループ数が少なくとも２以上のＮ個からなる総行数Ｊ×Ｎ行でＭ列の単純マトリックス駆動型液晶表示パネルを対象とし、上記グループ単位である行数Ｊ個を同時駆動する単位として、上記グループ数のＮ個を順次駆動させる時分割駆動の構成としているため、液晶表示パネルの駆動電圧を大幅に低減することができる。」と訂正する。
　
２−２．訂正の目的の適否、新規事項の有無及び拡張・変更の存否
　上記訂正事項ａは、特許請求の範囲の減縮を目的とし、新規事項の追加に該当せず、実質上特許請求の範囲を拡張し、又は変更するものではない。
　また、上記訂正事項ｃ，ｄ，ｉは明りょうでない記載の釈明を目的とし、新規事項の追加に該当せず、実質上特許請求の範囲を拡張し、又は変更するものではない。
　そして、上記訂正事項ｂ，ｅ，ｆ，ｇ，ｈは、誤記の訂正を目的とし、新規事項の追加に該当せず、実質上特許請求の範囲を拡張し、又は変更するものではない。
　
２−３．むすび
　以上のとおりであるから、上記訂正は、特許法第１２０条の４第２項及び第３項で準用する特許法第１２６条第２〜３項の規定に適合するので、当該訂正を認める。
　
３．本件発明
　請求項１に係る発明は、訂正明細書及び図面の記載からみて、その特許請求の範囲に記載された次のとおりのものである。(以下「本件発明」という。)
　
「【請求項１】　一つのグループの行数がＪ個で、そのグループ数が少なくとも２以上のＮ個からなる総行数Ｊ×Ｎ行でＭ列の単純マトリックス駆動型液晶表示パネルと、Ｊ個以上の関数列を有する直交関数列から選択したＪ個の関数を走査用信号として格納した直交関数メモリと、この直交関数メモリから読み出された関数列を元に走査グループ期間に合わせて走査グループの行にはこの関数列を、走査グループ以外の行には所定レベルのデータをそれぞれ付加する行データ作成部と、この行データ作成部の行データを所定のレベルに変換して前記液晶表示パネルに対しＪ行を同時に選択して時分割駆動するよう供給する行方向用ドライバと、１行当たりＭ列の表示データを点灯と非点灯との別により係数に置き換えてＪ×Ｎ行分格納するフレームメモリと、このフレームメモリから表示タイミングで読み出されたＪ行分の表示データと前記直交関数メモリの関数列との一致または不一致を理論演算する演算部と、この演算部の演算結果をレベル変換して前記液晶表示パネルに対し列データとして供給する列方向用ドライバとを備えたことを特徴とする単純マトリックス駆動型液晶表示装置。」
　
４．取消理由通知
　平成１３年４月１３日付取消理由通知の概要は以下の通りである。
　
　「訂正前の請求項１に係る発明は、下記刊行物１，２に記載の発明に基づき当業者が容易に発明することができたものであるから、請求項１に係る特許は、特許法第２９条第２項の規定に違反して特許されたものである。」
　
刊行物１　欧州特許出願公開第５２２５１０号明細書
　　　　　(1993年1月13日公開)
刊行物２　特開平５−１００６４２号公報
　　　　　(平成5年4月23日公開)
　
(上記刊行物１，２は、特許異議申立人旭硝子株式会社の提出した甲第２，１号証にそれぞれ対応する。)
　
５．刊行物記載の発明
５−１．刊行物１
　上記刊行物１には、下記の記載がある。
　
　In accordance with the present invention, there is provided a driving method of a matrix type liquid crystal display element comprising at least J × L number (J and L are respectively integers of 2 or more) of row electrodes and a plural number of column electrodes wherein,
　when a two-valued information of the j-th row electrode subgroup (j is an integer of any of 1 through J) in a specified column in the plural column electrodes is expressed by a column vector Dj having an L number of elements (where the elements of the vector Dj comprises 1 indicating ON and 0 indicating OFF), the following conditions are satisfied:
(1) said j-th row electrode subgroup is selected by applying sequentially voltages so that the elements of a selection voltage vector which constitute a row selection voltage, as defined in the following items (a) and (b), correspond to voltages to the row electrodes constituting the j-th line electrode subgroups:
(a) an orthogonal matrix A=[α1,α2,…,αq,…,αk](where αq is a column vector having an L number of elements) comprising L rows and K columns, which has an element of +Vr or -Vr and in which the product of a matrix and a transposed matrix of the same assumes a scalar multiple of the unit matrix is selected (where K is an integer having a relation of L ≦ 2p = K and p is a natural number), and
(b) as said row selection voltage, a selection voltage vector which includes at least one of α1,α2,…,αk,-α1,-α2,…,-αk is selected and,
(2)  when said j-th row electrode subgroup is selected under the above condition (1), the voltage applied to the column electrodes to indicate a display information by means of the vector Dj are determined as in the following items (a) and (b):
(a) a vector β is formed by the selection voltages applied to the j-th row electrode subgroup where +Vr represents 1 and -Vr represents 0, and
　
５−２．刊行物２
　上記刊行物２には、下記の記載がある。
　
「【０１６３】〔スウィフト関数生成器の実施例〕図23−図25を参照しながら、図12および図18ではブラック・ボックスとして扱ったスウィフト関数ベクトル生成器96の各種の実施例について示唆する。
【０１６５】図23の実施例においては、スウィフト関数Ｓi のマトリクスはＲＯＭ 304に記憶される。制御器54から制御信号がバス62に供給されると、スウィフト関数ベクトルＳ（Δｔk ）は、バス 306上のアドレス信号によって選択される。こうして選択されたスウィフト関数ベクトルＳ（Δｔk ）はＲＯＭ 304から出力バス97に読み出される。」(公報第４２欄第４５行〜第４３欄第１３行)
　
６．対比
　本件発明と上記刊行物１記載の発明を比較する。
　
　したがって、本件発明と上記刊行物１記載の発明は、「一つのグループの行数がＪ個で、そのグループ数が少なくとも２以上のＮ個からなる総行数Ｊ×Ｎ行でＭ列の単純マトリックス駆動型液晶表示パネルと、Ｊ個以上の関数列を有する直交関数列から選択したＪ個の関数を走査用信号として発生する回路と、この回路が発生した関数列を元に走査グループ期間に合わせて走査グループの行にはこの関数列を、走査グループ以外の行には所定レベルのデータをそれぞれ付加する行データ作成部と、この行データ作成部の行データを所定のレベルに変換して前記液晶表示パネルに対しＪ行を同時に選択して時分割駆動するよう供給する行方向用ドライバと、１行当たりＭ列の表示データを点灯と非点灯との別により係数に置き換えて格納するフレームメモリと、このフレームメモリから表示タイミングで読み出されたＪ行分の表示データと前記回路が発生した関数列との一致または不一致を理論演算する演算部と、この演算部の演算結果をレベル変換して前記液晶表示パネルに対し列データとして供給する列方向用ドライバとを備えたことを特徴とする単純マトリックス駆動型液晶表示装置」で一致し、下記の点で相違する。
　
　
７．当審の判断
　上記相違点について検討する。
　
７−１．相違点(あ)
　上記刊行物２にも記載されるように、液晶を駆動するための直交関数を生成するときに、あらかじめメモリに直交関数を記憶し、それを用いて生成することは知られており、上記刊行物１記載の発明においてそれを採用することに格別の技術的困難性は認められない。
　
７−２．相違点(い)
　
　そして、本件発明の作用効果は、上記刊行物１，２記載の発明、および、上記周知技術から予測しうる程度の作用効果にすぎない。
　
８．むすび
　以上のとおり、本件発明は上記刊行物１，２に記載された発明、および、上記周知技術に基づいて当業者が容易に発明できたものであるから、本件発明に係る特許は特許法第２９条第２項の規定に違反してされたものであり、同法第１１３条第２号に該当する。
　よって、結論のとおり決定する。
【異議決定日】
平成１３年７月２４日（２００１．７．２４）
【訂正の要旨】
訂正の要旨
ａ．特許請求の範囲の請求項１に記載の「Ｊ×Ｎ行でＭ列の単純マトリックス駆動型液晶表示パネルと、」を、「一つのグループの行数がＪ個で、そのグループ数が少なくとも２以上のＮ個からなる総行数Ｊ×Ｎ行でＭ列の単純マトリックス駆動型液晶表示パネルと、」と訂正する。
ｂ．特許明細書第４段落に記載の「２行目の選択時間ｔ２時に非点灯のデータに対応してＶ５（またはＶ０）の電圧値となり、」を、「２行目の選択時間ｔ２時に非点灯のデータに対応してＶ２（またはＶ３）の電圧値となり、」と訂正する。
ｃ．特許明細書第１４段落に記載の「即ち、Ｊ×Ｎ行でＭ列の単純マトリックス駆動型液晶表示パネルと、」を、「即ち、一つのグループの行数がＪ個で、そのグループ数が少なくとも２以上のＮ個からなる総行数Ｊ×Ｎ行でＭ列の単純マトリックス駆動型液晶表示パネルと、」と訂正する。
ｄ．特許明細書第１５段落に記載の「【作用】　Ｊ≦Ｎの範囲でＪを可及的に大きな値に設定することにより、このＪ行を同時駆動する単位として時分割駆動されるため、液晶表示パネルの駆動電圧を大幅に低減することができる。」を、「【作用】　一つのグループの行数がＪ個で、そのグループ数が少なくとも２以上のＮ個からなる総行数Ｊ×Ｎ行でＭ列の単純マトリックス駆動型液晶表示パネルを対象とし、上記グループ単位である行数Ｊ個を同時駆動する単位として、上記グループ数のＮ個を順次駆動させる時分割駆動の構成としているため、液晶表示パネルの駆動電圧を大幅に低減することができる。」と訂正する。
ｅ．特許明細書第１８段落に記載の「表示マトリックスへの行入力信号波形として、Ｆ１１（ｔ）・ＦＮ３の３Ｎ個の関数を入力する。」を、「表示マトリックスへの行入力信号波形として、Ｆ１１（ｔ）・ＦＮ３（ｔ）の３Ｎ個の関数を入力する。」と訂正する。
ｆ．特許明細書第２６段落に記載の「従来技術の構成による表示駆動時に必要なとなる印加電圧に比較して約半分となる。」を、「従来技術の構成による表示駆動時に必要となる印加電圧に比較して約半分となる。」と訂正する。
ｇ．特許明細書第３４段落に記載の「６ビット程度のものを用いれば当該実施例例の実用化が可能である。」を、「６ビット程度のものを用いれば当該実施例の実用化が可能である。」と訂正する。
ｈ．特許明細書第４２段落に記載の「本来のフレーム周波数を下げれはよいことになる。」を、「本来のフレーム周波数を下げればよいことになる。」と訂正する。
ｉ．特許明細書第４４段落に記載の「以上のように本発明の単純マトリックス駆動型液晶表示装置によると、Ｊ行を同時駆動する単位として時分割駆動されるため、液晶表示パネルの駆動電圧を大幅に低減することができる。」を、「以上のように本発明の単純マトリックス駆動型液晶表示装置によると、一つのグループの行数がＪ個で、そのグループ数が少なくとも２以上のＮ個からなる総行数Ｊ×Ｎ行でＭ列の単純マトリックス駆動型液晶表示パネルを対象とし、上記グループ単位である行数Ｊ個を同時駆動する単位として、上記グループ数のＮ個を順次駆動させる時分割駆動の構成としているため、液晶表示パネルの駆動電圧を大幅に低減することができる。」と訂正する。
（５４）【発明の名称】
単純マトリックス駆動型液晶表示装置
（５７）【特許請求の範囲】
　【請求項１】　
一つのグループの行数がＪ個で、そのグループ数が少なくとも２以上のＮ個からなる総行数
【発明の詳細な説明】
　【０００１】
　【産業上の利用分野】
　本発明は、高速応答型液晶表示パネルや大型液晶表示パネルにデータを表示できる単純マトリックス駆動型液晶表示装置に関するものである。
　【０００２】
　【従来の技術】
　斯かる従来の単純マトリックス駆動型液晶表示装置の駆動例として、説明を簡略化して理解を容易にするために、図１２に示した５行５列のマトリックスの場合について説明する。同図において、黒丸が点灯つまり表示ＯＮで、且つ白丸が非点灯つまり表示ＯＦＦをそれぞれ示し、Ｆ１〜Ｆ５は行入力電圧で、Ｇ１〜Ｇ５は列入力電圧である。
　【０００３】
　そして、図１３（ａ）に第１〜第３行目の各行入力電圧Ｆ１〜Ｆ３の波形を、同図（ｂ）に第１および第２列目の各列入力電圧Ｇ１，Ｇ２の波形をそれぞれ示す。同図には、図１２の１画面全体の表示を行なう期間を行数の５に等分割し、その等分割した各期間をそれぞれｔ１〜ｔ５として示してある。即ち、ｔ１は１行目、ｔ２は２行目の表示にそれぞれ要する時間であり、以下ｔ３〜ｔ５についても同様である。同図（ａ）から明らかなように、各行入力電圧は、該当する行の駆動時間のみ順次Ｖ５（またはＶ０）の電圧値となって駆動すべき行を選択する。
　【０００４】
　一方、各列入力電圧は、同図（ｂ）に示すように、行入力電圧により選択された行に対応する列の表示データの点灯および非点灯の別により点灯時にＶ０（またはＶ５）の電圧値を、且つ非点灯時にＶ２（またはＶ３）の電圧値を各行選択時間だけ順次出力する。具体的に説明すると、第１列目の列入力電圧Ｇ１は、１行目の選択時間ｔ１時に点灯のデータに対応してＶ０（またはＶ５）の電圧値となり、２行目の選択時間ｔ２時に非点灯のデータに対応してＶ
２
３
　【０００５】
　尚、行と列に印加する電圧は、液晶に対し直流電圧が長時間印加されるのを防止する目的で極性反転する必要があり、図１３では、Ｔ１〜Ｔ５の期間に極性反転した後の電圧波形を示してあり、この電圧は、上述の説明における（　）内に示した電圧値を置換すればよいことになる。
　【０００６】
　各行電極と各列電極との各々の交点である個々の各画素に与えられる電圧値は、行入力電圧と列入力電圧との差として求められる。図１４（ａ）に非点灯時の例として前述の１行２列目の画素に与えられる電圧波形を、同図（ｂ）に点灯時の例として２行２列目の画素に与えられる電圧波形を、それぞれ示してある。ここで、供給する電圧レベルとして、図１３から明らかなようにＶ０＞Ｖ１＞Ｖ２＞Ｖ３＞Ｖ４＞Ｖ５＞の６種を持っている。これらの電圧値の関係は、Ｖ５＝０、Ｖ４＝Ｖ、Ｖ３＝２Ｖ、Ｖ２＝（ｂ−２）Ｖ、Ｖ１＝（ｂ−１）Ｖ、Ｖ０＝ｂＶであり、単位は何れもボルトである。前述のＶは一定電圧であり、ｂは定数である。一般的に１／ｂをバイアス比と呼称しており、通常ｂは整数が選ばれる。
　【０００７】
　以上のように何れの画素においても波形に違いがあるものの、点灯画素では、図１４（ｂ）に例示するように該当する行が選択された時のみ±ｂＶボルトで、その他の期間は±Ｖボルトとなる。一方、非点灯画素では、図１４（ａ）に示すように該当する行が選択された時のみ±（ｂ−２）Ｖボルトで、その他の期間は±Ｖボルトとなる。ところで、液晶を表示駆動する場合、表示に寄与するのは印加された累積実効電圧であることが一般に知られており、前述の場合の点灯時の実効電圧は、Ｖ〔｛ｂ２＋（５−１）｝／５〕１／２であり、非点灯時の実効電圧は、Ｖ〔｛（ｂ−２）２＋（５−１）｝／５〕１／２である。そして、前述の単純マトリックスをＮ行に増やした場合を考えると、点灯電圧は、Ｖｏｎ＝Ｖ〔｛ｂ２＋（Ｎ−１）｝／Ｎ〕１／２で、非点灯電圧は、Ｖｏｆｆ＝Ｖ〔｛（ｂ−２）２＋（Ｎ−１）｝／Ｎ〕１／２でそれぞれ求められる。
　【０００８】
　液晶のコントラストが変化するしきい値電圧Ｖｔｈ＝Ｖｏｆｆとおいて規格化すると、Ｖ＝Ｖｔｈ／〔｛（ｂ−２）２＋（Ｎ−１）｝／Ｎ〕１／２であり、また、駆動するために必要な電圧最大値はｂＶにより求められる。そして、上式の行数Ｎおよびバイアスｂに具体的な数値を挿入すると、図１５のようになり、ここで、マージンは点灯電圧Ｖｏｎと非点灯電圧Ｖｏｆｆとの比であるが、この値が「１」に近づく程、液晶に立ち上がりのより急なしきい値特性が求められることになる。従って、よりコントラストの良い表示を行なうためには、マージンを出来る限り大きくすることが必要である。ところが、このマージンが最も大きくなるのは、ｂ＝Ｎ１／２＋１の時であることが知られており、この時与えるべき電圧も一義的に決まってしまう。図１５に、各行数において最もマージンが大きくなる時の条件を※印で注記してある。尚、一般的にｂは、ｂ≦Ｎ１／２＋１となる最も大きな整数が用いられる。
　【０００９】
　【発明が解決しようとする課題】
　然し乍ら、従来の単純マトリックス駆動型液晶表示装置には次の三つの大きな問題が残存している。先ず第１に、液晶に対して印加する必要のある電圧は、図１５のトータル電圧よりわかるように、２００行の時にしきい値電圧に対し１１倍、２４０行の時にしきい値電圧に対し１２倍、４８０行の時にしきい値電圧に対し１６倍の各数値となる。例えば、２００行の時にしきい値電圧が２ボルトの場合に２２ＶＰ−Ｐの数値で、４８０行の時にしきい値電圧が２ボルトの場合に３２ＶＰ−Ｐの数値となる。従って、特に行数が多い時には駆動回路の耐圧が要求されるとともに、しきい値電圧の高い液晶表示素子を使用するのが困難となる問題がある。
　【００１０】
　次に、１行毎の線順次走査方式であることから図１６（ａ）に示すように１画素に対しては１フレーム表示当たり１回しか点灯電圧が印加されないため、特に高速応答型の液晶表示パネルを表示駆動する場合には、図１６（ｂ）に示すようにコントラストが電圧の累積実効値でなく選択パルス／非選択パルスの電圧に追従してしまうために、十分なコントラストが得られない問題がある。そこで、フレーム周波数を高くする等の改善手段が考えられるが、１２０Ｈｚ程度が上限であって限度がある。
　【００１１】
　更に、特に大画面に表示を行なおうとすると、液晶表示パネル上での等価回路とその入力に対する出力の波形を示した図１７において、液晶ドライバの出力抵抗ＲＬと、透明電極の配線抵抗ＲＣと液晶自体の静電容量Ｃとによる同図の積分回路により、左方に示す本来の印加電圧に対し同右方に示すように無視できない波形歪みが生じ、ゴーストの発生や電圧が十分に加えられないことに起因して所期のコントラストが得られない問題が発生する。
　【００１２】
　このように従来技術では、高圧の回路が必要とされ、また、例えば高速応答型液晶表示パネルや大型表示パネル等の表示駆動といった新たな用途に対し限度があって適用できない問題がある。
　【００１３】
　そこで本発明は、駆動電圧を低減して液晶表示素子の耐圧を低下し、またはしきい値電圧の高い液晶を使用できるようにし、高速応答型液晶表示パネルをそのコントラストを低下させることなく表示駆動でき、更に液晶表示パネルに印加する駆動電圧の周波数を下げることにより波形歪みを軽減してゴーストの低減等の表示品位の向上を図れる単純マトリックス駆動型液晶表示装置を提供することを技術的課題とするものである。
　【００１４】
　【課題を解決するための手段】
　本発明は、上記した課題を達成するための技術的手段として、単純マトリックス駆動型液晶表示装置を次のように構成した。即ち、
一つのグループの行数がＪ個で、そのグループ数が少なくとも２以上のＮ個からなる総行数
　【００１５】
　【作用】
　
一つのグループの行数がＪ個で、そのグループ数が少なくとも２以上のＮ個からなる総行数Ｊ×Ｎ行でＭ列の単純マトリックス駆動型液晶表示パネルを対象とし、上記グループ単位である行数Ｊ個
、上記グループ数のＮ個を順次駆動させる
の構成としている
　【００１６】
　【実施例】
　以下、本発明の好ましい実施例について図面を参照しながら詳述する。本発明の着眼点は、既存の１行単位での時分割による表示駆動を行なうのとは異なり複数行まとめての時分割による表示駆動を行なうことにより前述の種々の問題点を悉く解消することにある。
　【００１７】
　この着眼点に基づく表示駆動方法について、図２により３Ｎ行でＭ列の表示マトリックスにおいて３行単位で時分割走査する場合の表示駆動の手順について説明する。先ず、表示マトリックスの第ｍ列に着目し、そのｍ列目の表示データのＯＮ／ＯＦＦに対してそれぞれＯＮ＝「−１」、ＯＦＦ＝「＋１」という係数を定め、それをＩ１１〜ＩＮ３とおく。
　【００１８】
　次に、表示マトリックスヘの行入力信号波形として、Ｆ１１（ｔ）〜ＦＮ３　
（ｔ）
　【００１９】
　ｍ列への列入力信号波形Ｇｍ（ｔ）を下式により計算し入力する。即ち、時間ｔｎｘのとき（ｎは１からＮつまり各グループを示し、ｘは１から４の各グループ内期間を示す）、Ｇｍ（ｔｎｘ）＝Ｖ｛Ｉｎ１Ｆｎ１（ｔｉｘ）＋Ｉｎ２Ｆｎ２（ｔｎｘ）＋Ｉｎ３Ｆｎ３（ｔｎｘ）｝／（３Ｎ）１／２となる。ｍ列以外の他の列に対しても同様の計算を行い、同一タイミングで列信号として印加する。１周期全体にわたりこれらの処理を行なうと、画面表示ができる。
　【００２０】
　前述の説明では３行単位での時分割の例を示したが、どのような構成のマトリックスであっても適用可能であることを、次に数学的証明に基づき説明する。先ず、表示フォーマットとして、図２に示すようなＮ×Ｊ行でＭ列の単純マトリックスに対して表示することを考える。ここで、Ｊは一つのグループとして同時に選択される行数で、且つＮはグループの総数であり、結果として行数合計はＪ×Ｎである。
　【００２１】
　次に、表示データについて説明する。Ｍ列のうちの任意のｍ列の表示のＯＮ／ＯＦＦに対応するデータとして、ＯＮのとき「−１」、ＯＦＦのとき「＋１」という係数を考え、それらをＩ１１〜ＩＮＪのＮ×Ｊ個の記号に置き換える。引数のＮＪは同時選択の数Ｊとそのグループ番号Ｎにそれぞれ対応する。
　【００２２】
　行入力信号について説明する。行入力信号として、Ｆ１１（ｔ）〜ＦＮＪ（ｔ）の信号を入力する。ここで、ＦＮＪ（ｔ）は以下の条件を満足するものとする。但し、積分は一定周期の積分である。
１／ＴＳ∫Ｆｉｊ（ｔ）・Ｆｉ´ｊ´（ｔ）ｄｔ＝Ｖ２／Ｎ（ｉ＝ｉ´且つｊ＝ｊ´）１／Ｔ∫Ｆｉｊ（ｔ）・Ｆｉ´ｊ´（ｔ）ｄｔ＝０（ｉ≠ｉ´且つｊ≠ｊ´）
Ｆｉｊ（ｔ）＝Ｖまたは−Ｖ（ｔがグループｉの選択期間のとき）
Ｆｉｊ（ｔ）＝０（ｔがグループｉ以外の選択期間の時）
　即ち、Ｆｉｊ（ｔ）は、グループｉ以外の選択期間では０ボルトの電圧値をとり、グループｉの選択期間においては「Ｖ」または「−Ｖ」の電圧値をとるものである。尚、ここでｉは１からＮ、ｊは１からｊの値をとる。また、Ｆｉｊ（ｔ）は異なる行に入力される信号同士は一次独立（直交関数系）となっており、また、信号グループ毎の選択時間は全周期に対し１／Ｎになる。
　【００２３】
　続いて、列入力信号について説明する。ｍ列への入力信号Ｇｍ（ｔ）として、Ｇｍ（ｔ）＝ＡΣ（ｉ＝１→Ｎ）Σ（ｊ＝１→Ｊ）ＩｉｊＦｉｊ（ｔ）を入力する。ここでＡは一定の定数である。以上の条件よりドットに与えられる実効電圧を求める。先ず、ｉｊ行でｍ列の１ドットにかかる電圧Ｖｉｊは、Ｖｉｊ（ｔ）＝Ｆｉｊ（ｔ）−Ｇｍ（ｔ）であらわされるため、このドットにかかる実効電圧｜Ｖ｜は以下のように求められる。
｜Ｖ｜＝｛１／Ｔ∫Ｖ２ｉｊ（ｔ）ｄｔ｝１／２＝｛１／Ｔ∫Ｆ２ｉｊ（ｔ）ｄｔ＋１／Ｔ∫Ｇ２ｍ（ｔ）ｄｔ−２／Ｔ∫Ｆｉｊ（ｔ）Ｇｍ（ｔ）ｄｔ｝１／２
　前式の第１項は、１／Ｔ∫Ｆ２ｉｊ（ｔ）ｄｔ＝Ｖ２／Ｎとなり、
　第２項は、１／Ｔ∫Ｇ２ｍ（ｔ）ｄｔ＝Ａ２｛Σ（ｉ＝１→Ｎ）Σ（ｊ＝１→Ｊ）ＩｉｊＦｉｊ（ｔ）Σ（ｉ＝１→Ｎ）Σ（ｊ＝１→Ｊ）ＩｉｊＦｉｊ（ｔ）｝ｄｔ＝Ａ２〔｛Ｉ２ｌ１Ｆ２ｌ１（ｔ）＋……＋Ｉ２ｌＪＦ２ｌＪ（ｔ）＋……＋Ｉ２ｌＪＦ２ｌＪ（ｔ）｝＋…｛Ｉ２ｉ１Ｆ２ｉ１（ｔ）＋……＋Ｉ２ｉｊＦ２ｉｊ（ｔ）＋……＋Ｉ２ｉｊＦ２ｉｊ（ｔ）｝＋…｛Ｉ２Ｎ１Ｆ２Ｎ１（ｔ）＋……＋Ｉ２ＮＪＦ２ＮＪ（ｔ）＋……＋Ｉ２ＮＪＦ２ＮＪ（ｔ）｝
〕
　【００２４】
　第３項は、２／Ｔ∫Ｆｉｊ（ｔ）Ｇｍ（ｔ）ｄｔ＝２Ａ／Ｔ∫｛Ｆｉｊ（ｔ）Σ（ｉ＝１→Ｎ）Σ（ｊ＝１→Ｊ）ＩｉｊＦｉｊ（ｔ）｝ｄｔ＝２Ａ／Ｔ∫ＩｉｊＦ２ｉｊ（ｔ）ｄｔ＝−２ＡＶ２／Ｎ（Ｉｉｊ＝−１のとき）
　　　　　　＝＋２ＡＶ２／Ｎ（Ｉｉｊ＝１のとき）
となる。尚、上式はＦｉｊ（ｔ）が±１のときにのみＩｉｊとの演算が行なわれるためである。
　【００２５】
　従って、実効電圧｜Ｖ｜は、
｜Ｖ｜＝Ｖ／Ｎ１／２（１＋Ａ２ＮＪ＋２Ａ）１／２（Ｉｉｊ＝−１のときＶｏｎ）
　　　＝Ｖ／Ｎ１／２（１＋Ａ２ＮＪ−２Ａ）１／２（Ｉｉｊ＝１のときＶｏｆｆ）
Ｖｏｎ／Ｖｏｆｆが最大になる条件よりＡを求めると、Ａの値は、Ａ＝１／（ＮＪ）１／２となる。従って、Ｖｏｎ／Ｖｏｆｆ比を最も高くとれる電圧条件としてＡを代入して以下の値が求められる。
Ｖｏｎ＝Ｖ／Ｎ１／２｛２＋２／（ＮＪ）１／２｝１／２
Ｖｏｆｆ＝Ｖ／Ｎ１／２｛２−２／（ＮＪ）１／２｝１／２
また、Ｖｏｆｆを液晶のしきい値電圧Ｖｔｈとして上式に代入すると、
Ｖｔｈ＝Ｖｏｆｆ＝Ｖ／Ｎ１／２｛２−２／（ＮＪ）１／２｝１／２となり、行電圧Ｖは、
Ｖ＝ＶｔｈＮ１／２〔（ＮＪ）１／２／｛２（ＮＪ）１／２−２｝〕１／２となる。
結論として、前述の条件を持つ行入力信号Ｆｉｊ（ｔ）と、任意のｍ列への行入力信号Ｇｍ（ｔ）＝１／（ＮＪ）１／２Σ（ｉ＝１→Ｎ）Σ（ｊ＝１→Ｊ）ＩｉｊＦｉｊ（ｔ）とを、それぞれ行及びｍ列に入力することで、ｍ列への表示が可能となる。尚、ｍ列以外の他の列についても同様に求められる。
上式から明らかなように、行入力電圧と列入力電圧の各々の最大値が共に最も小さくなるときは、Ｎ＝Ｊのときである。現実に応用しようとした場合に、同時選択行数であるＪは整数でなければならないので、Ｊ≦Ｎの範囲内でＪを可及的に大きな値に選定することで相当の低電圧化を図ることができる。
　【００２６】
　具体例として、液晶表示装置に一般的に用いられている表示行数としての２００行、２４０行および４８０行を選び、同時選択行数であるＪをパラメータとして上式に代入すると、図３のようになる。同図から明らかなように、２００行では、Ｊ＝１０でＮ＝２０の時に行電圧が±３．２８０×Ｖｔｈとなる。即ち、ｐ−ｐ（ｐｅａｋ　ｔｏ　ｐｅａｋ）ではＶｔｈに対し６．５６倍となるため、Ｖｔｈ＝２ボルトの液晶を使用すると、１３．１ボルトの印加電圧となる。２４０行では、Ｊ＝１５でＮ＝１６の時に行電圧が±２．９２４×Ｖｔｈとなり、ｐ−ｐではＶｔｈに対し５．８４８倍となるため、Ｖｔｈ＝２ボルトの液晶を使用すると、１１．６８ボルトの印加電圧となる。更に、４８０行では、Ｊ＝２０でＮ＝２４の時に行電圧が±３．５４６×Ｖｔｈとなり、ｐ−ｐではＶｔｈに対し７．０９２倍となるため、Ｖｔｈ＝２ボルトの液晶を使用すると、１４．１８４ボルトの印加電圧となる。上述の各電圧値は、従来技術の構成による表示駆動時に必
要と
　【００２７】
　図１は、前述の技術思想を具体化した本発明の一実施例のブロック構成図である。この構成を説明するに際し、理解を容易にするために当該構成に至る経過について予め説明する。先ず、行入力信号の形成方法について説明すると、前述のように行入力信号として与える信号は直交関数でなければならない。本発明に使用する上で最も効率のよい関数例として、最低関数周期が２，４，８，１２，１６，２０，２４……のものがあげられ、これらの具体的な関数列を図４（ａ）〜（ｅ）および図５（ｆ），（ｇ）に示す。これらの関数は、任意の期間での時間の関係を入れ換えても、或いは任意に選んだ関数の極性を入れ換えても、直交関数列となるものである。例えば、表示駆動の方法を説明した図２では、図４（ｂ）の周期４の直交関数列のうちの三つを取り出して時間の関係を入れ換えたものである。
　【００２８】
　この実施例で用いる行入力信号であるＦｉｊ（ｔ）には、同時に選択する行数Ｊ≦関数数となる何れかの関数列のうちから任意のＪ個の関数（極性または時間の関係を入れ換えてもよい）のみを選び、メモリに格納する。表示の際には、各グループの選択時間に合わせてそのままレベル変換して出力或いは０レベルとして出力する。具体的には、ｉグループの選択時間にはｉグループのＪ個の行に対して電圧値Ｖにレベル変換して与えるとともに、ｉグループ以外の行に対しては０レベルを与えることとする。
　【００２９】
　次に、列入力信号の計算の方法について説明する。ｍ列への列入力信号は、
　Ｇｍ（ｔ）＝１／（ＮＪ）１／２Σ（ｉ＝１→Ｎ）Σ（ｊ＝１→Ｊ）ＩｉｊＦｉｊ（ｔ）
であるが、グループｉの選択期間ｔｉについてのみ着目すると、Ｆｉｊ（ｔ）はグループｉ以外は０となるため、
　Ｇｍ（ｔｉ）＝１／（ＮＪ）１／２Σ（ｊ＝１→Ｊ）ＩｉｊＦｉｊ（ｔｉ）
で表される。そのため、特定期間を見た場合にはＪ個の関数とＪ個の画素データとの積の和という形で求められる。更にまた、回路への置き換えが簡単になるように、
Ｆ´ｉｊ（ｔ）＝Ｆｉｊ（ｔ）／Ｖ
とおくと、
Ｇｍ（ｔｉ）＝Ｖ／（ＮＪ）１／２Σ（ｊ＝１→Ｊ）ＩｉｊＦ´ｉｊ（ｔｉ）
となる。この式のΣ（ｊ＝１→Ｊ）から右方の部分は、「１」或いは「−１」であるＩｉｊとＦ´ｉｊ（ｔ）との積の和と考えられる。この積の結果は値が一致したとき、即ち−１×−１或いは１×１の時に「１」となり、値が異なるとき、即ち−１×１或いは１×−１の時に「−１」となる。これらの和をとると、最大でＪで最小で−Ｊとなるが、この演算結果はＩｉｊとＦｉｊ（ｔ）との間において、「一致した数」−「不一致の数」として表される。またこれは、「一致した数」×２−Ｊ、或いは、Ｊ−「不一致の数」×２としても表される。
　【００３０】
　これを実際の回路に置き換える場合には、「−１」を「１」に、「１」を「０に置換した２値デジタルデータで表し、これらの間での一致と不一致をカウントする構成にすれば回路を簡略化できる。一致または不一致を判断する手段としては、排他的ＯＲまたは排他的ＮＯＲを用いて、更に計数回路によりこれらの数をカウントすればよい。
　【００３１】
　次に、図１について説明する。同図には、同時選択行数がＪで同時選択グループ数がＮの総行数がＪ×ＮであってＭ列の単純マトリックス液晶表示パネル（１０）への表示制御を行なう場合を例示してある。そして、直交関数メモリ（１）は、前述の図４および図５で示したような直交関数列のうちＪ個以上の関数列をもつもののなかから選んだＪ個の関数を走査用信号として格納したものであり、Ｊ×Ｔ（選択した関数列の周期）の容量を有する。前述の式におけるＦ´ｉｊ（ｔ）のうち各走査グループに与える「０」レベルを含まない部分のみを格納したものである。
　【００３２】
　直交関数レジスタ（２）は、直交関数メモリ（１）から読み出した或る一定時間のＪ個分の関数列を一時的に記憶するもので、表示データ出力のタイミングに合わせて後述の演算部（６）および行データ作成部（３）に出力する。行データ作成部（３）は、直交関数レジスタ（２）から出力された関数列を基にして走査グループ期間に合わせて走査グループ以外の行に「０」レベルの行データを付加し、本来のＦ´ｉｊ（ｔ）の形に構成し直す。
　【００３３】
　フレームメモリ（４）は、１行当たりＭ列の表示データをＪ行×Ｎグループ行分、つまり１画面分の表示データを格納する。表示メモリレジスタ（５）は表示タイミングに合わせてフレームメモリ（４）からの特定の列のＪ行分を読み出し記憶するとともに、表示タイミングに合わせて後段の演算部（６）に対し出力する。その演算部（６）は、Ｊ行分の表示データと関数列との一致及び不一致の論理演算を行なう。計数回路部（７）は、演算部（６）による演算結果の一致および不一致をカウントして「一致数」および「不一致数」を算出する。
　【００３４】
　列方向用デジタルドライバ（８）は、演算部（６）により演算された一致演算結果をＶ／（ＮＪ）１／２にレベル変換してＧｍ（ｔ）として単純マトリックス液晶表示パネル（１０）に列データとして供給する。この列方向用デジタルドライバ（８）として、ＴＦＴ液晶用に製造された既存のデジタルドライバを用いることができ、このＴＦＴ液晶用デジタルドライバとして実用化されている６ビット程度のものを用いれば当該実
施例
　【００３５】
　行方向用デジタルドライバ（９）は、行データ作成部（３）で作成された走査信号としての行データＦ´ｉｊ（ｔ）をＶ倍にレベル変換することにより単純マトリックス液晶表示パネル（１０）に対し出力する。この行方向用デジタルドライバ（９）としてもＴＦＴ液晶用に製造された既存のデジタルドライバを用いることができるが、出力レベルは最低３レベル（Ｖ，０，−Ｖ）あればよいためにＴＦＴ液晶用のものを必ずしも用いる必要はなく、３レベルのものを用いることでコストダウンできる。尚、列方向および行方向の両デジタルドライバ（８），（９）に代えてアナログＴＦＴドライバを使用することもできるが、Ａ／Ｄコンバータや高精度アンプ回路等が必要となるため、この実施例ではデジタル入力型のものを用いた場合を例示してある。
　【００３６】
　単純マトリックス液晶表示パネル（１０）は、（Ｊ×Ｎ）行×Ｍ列の単純マトリックス構成のものであって、既存のものである。表示クロック発生アドレス生成回路（１１）は、表示のタイミングを決定するクロックを発生するとともにメモリのアドレスを生成するもので、装置全体の動作シーケンスを制御する。
　【００３７】
　この表示タイミングは図６に示すように制御される。同図において、Ｔｆは１画面全体を表示するために要する１フレーム表示期間であり、この１フレームを同図（ａ）に示すようにグループ数のＮに等分してグループ１からグループＮまでの選択期間に分割する。このうちのグループｉ選択期間を例に詳細なタイミングを同図（ｂ）に示してあり、直交関数の最低周期をＴとしてグループｉの選択期間をＴ等分すると、直交関数メモリ（１）から直交関数レジスタ（２）への読み出しタイミングとなる。直交関数レジスタ（２）は、この時間Ｔｆ／（ＮＴ）を繰り返し時間として関数データをＪ個単位で順次書き換える。このうちの関数が書き換えられる時間のみを拡大して同図（ｃ）〜（ｅ）に示してある。同図（ｃ）は、行データ作成部（３）から行方向デジタルドライバ（９）に対し出力される行信号の状態を説明するために示したものであり、直交関数レジスタ（２）に保持されているＪ個の関数データを、Ｆ´ｉｊ（ｔ）としてグループｉ時間に合わせて出力するもので、グループｉ時間以外は「０」レベルに置き換えた状態となる。尚、行方向デジタルドライバ（９）として使用するＴＦＴ液晶デジタルドライバのシフトクロック入力が１画素／１クロックに対応するものであれば、行方向デジタルドライバ（９）へデータを転送するためのシフトクロックの周期は、Ｔｆ／（Ｎ２ＴＪ）となる。また、同図（ｄ）は、同期間内を表示データ数Ｍで分割して示したもので、表示メモリレジスタ（５）のデータＪ個をフレームメモリ（４）から読み出し書き換えるタイミングを示している。最終的に列方向デジタルドライバ（８）に対し入力されるデータは、直交関数レジスタ（２）に保持されているＪ個の関数と、表示メモリレジスタ（５）に保持されているＪ個の表示データとの演算部（６）による演算結果として与えられる。即ち、同図（ｂ）と同図（ｄ）との演算結果である同図（ｅ）の状態で与えられる。尚、列方向用デジタルドライバ（８）に使用するＴＦＴ液晶デジタルドライバのシフトクロックが１画素／１クロックに対応するものであれば、該ドライバ（８）へデータを転送するためのシフトクロックの周期は、Ｔｆ／（ＮＴＭ）となる。また、行方向用デジタルドライバ（９）がデータをラッチし、液晶表示パネル（１０）へ出力するためのラッチクロックはＴｆ／（ＮＴ）の周期で与えられる。
　【００３８】
　前述のように複数の行を同時に選択して時分割駆動するので、その駆動電圧を既存装置に比し大幅に下げることができる。即ち、液晶表示パネル（１０）の総行数に対して、図３に基づき駆動電圧を最も下げられる同時選択行数とそのグループ数を設定するとともに、図４（ａ）〜（ｅ）および図５（ｆ），（ｇ）に示した直交関数列の中から同時選択行数以上のものを選定し、これらのデータを図１の構成に設定すればよい。
　【００３９】
　一方、高速応答型の液晶表示パネルの表示駆動あるいは液晶駆動周波数を下げるためには、表示タイミングを前述の図６に対し次のように入れ換える必要がある。具体的には、図６の表示タイミングに対し図７に示すような表示タイミングに変更すればよい。この図７は、図６の（ａ）と（ｂ）との関係を相互に入れ換えたものである。即ち、１フレームを先ず周期Ｔの直交関数列で分割し、その中で同時選択グループを順次選択していく。尚、図６および図７の各々の（ｃ）〜（ｅ）については全く同じである。そして、この図７の表示タイミングに基づいて図１の表示クロック発生アドレス生成回路（１１）内の構成を変更するだけで、上述の高速応答型の液晶表示パネルの表示駆動あるいは液晶駆動周波数を下げる目的を達成することができる。
　【００４０】
　このように表示タイミングを変更した例として、図８にその波形例を示す。同図は、表示手順として示した図２に対し関数列と選択グループの走査手順を入れ換えたものであり、数学的な理論については図２の場合と全く同一の条件が成立する。そして、この図８の表示タイミングでは、関数周期Ｔ＝４の場合であり、１フレームを４分割した各ブロックにおいて、全同時走査グループに対する走査が終了している。換言すると、任意の画素を見た場合にその画素の点灯に寄与する電圧印加が１フレームの間で４回行なわれ、従来の表示駆動方式と同一のフレーム周波数であれば、見掛け上のフレーム周波数がほぼ４倍になることになる。この場合の印加電圧とコントラストとの関係を図９（ａ），（ｂ）に模式的に示してある。
　【００４１】
　従って、高速応答を目的とした装置を得たい場合には、フレーム応答現象を抑制するために、見掛け上のフレーム周波数を４００Ｈｚ程度以上に上げることができる。例えば、本来のフレーム周波数を５０Ｈｚに設定すると、関数周期Ｔ＝８以上の関数を用いれば、見掛け上のフレーム周波数が５０Ｈｚ×８倍＝４００Ｈｚとなり、前記目的を達成することができる。
　【００４２】
　更に、液晶駆動周波数を下げて波形歪みの影響を軽減することを目的とした装置を得たい場合には、前述の見掛け上のフレーム周波数が上がることを利用して本来のフレーム周波数を下げれ
ば
　【００４３】
　尚、同時選択行数Ｊと関数周期Ｔとは、Ｊ≦Ｔの関係でなければならないが、フレーム周波数をｆ（Ｈｚ）とし、同時選択グループ数をＮとすると、液晶表示パネル（１０）における駆動パルスの周波数は、従来装置のＮＪｆと本発明のＮＴｆとの関係がＮＪｆ≦ＮＴｆであるため、Ｊ＝Ｔのとき以外上がってしまうことになる。そこで、ＪとＴはできるだけ近い値の方が効率がよい。ところが、Ｊ＝Ｔのときには必ず関数として連続した「１」或いは「−１」を使用する必要があるため、図１の回路をそのままで使用すると液晶表示パネル（１０）上に直流電圧が累積されることになり、液晶表示素子の寿命を縮めてしまう。その場合には、図１１に示すように、関数自体の極性を反転させるための切換回路（１２）を付加し、フレームに応じて極性を反転することにより、直流電圧の累積を防止することができる。尚、図１１において図１と同一若しくは同等のものには同一の符号を付してある。
　【００４４】
　【発明の効果】
　以上のように本発明の単純マトリックス駆動型液晶表示装置によると、
一つのグループの行数がＪ個で、そのグループ数が少なくとも２以上のＮ個からなる総行数Ｊ×Ｎ行でＭ列の単純マトリックス駆動型液晶表示パネルを対象とし、上記グループ単位である行数Ｊ個
、上記グループ数のＮ個を順次駆動させる
の構成としている
【図面の簡単な説明】
　【図１】
　本発明の一実施例のブロック構成図である。
　【図２】
　同上、表示駆動の説明図である。
　【図３】
　同上、同時に選択する行数をパラメータとしたときの行および列の両入力電圧のレベルの実測値を示す図である。
　【図４】
　（ａ）〜（ｅ）はそれぞれ周期が２，４，８，１２，１６の直交関数列の説明図である。
　【図５】
　（ｆ），（ｇ）はそれぞれ周期が２０，２４の直交関数列の説明図である。
　【図６】
　同上の表示タイミングの説明図である。
　【図７】
　同上、高速応答用途または駆動周波数を下げる場合の表示タイミングの説明図である。
　【図８】
　同上、高速応答用途または駆動周波数を下げる場合の表示波形を示す表示駆動の説明図である。
　【図９】
　（ａ），（ｂ）は同上の画素に対する印加電圧波形とコントラストとの関係を示した図である。
　【図１０】
（ａ），（ｂ）はそれぞれ同上の駆動周波数を下げたときの入力電圧と表示パネルの　駆動電圧の波形図である。
　【図１１】
　本発明の他の実施例のブロック構成図である。
　【図１２】
　５行５列のマトリックス表示例を示す図である。
　【図１３】
　（ａ），（ｂ）はそれぞれ従来装置の行入力信号および列入力信号の波形図である。
　【図１４】
　（ａ），（ｂ）は同上の非点灯画素および点灯画素へのそれぞれの印加電圧の波形図である。
　【図１５】
　同上のバイアスをパラメータとした時の印加電圧の実測値を示す図である。
　【図１６】
　（ａ），（ｂ）は同上の画素に対する印加電圧波形とコントラストとの関係を示した図である。
　【図１７】
　同上、液晶表示パネル上での等価回路図である。
　【符号の説明】
　１　直交関数メモリ
　３　行データ作成図
　４　フレームメモリ
　６　演算部
　８　列方向用デジタルドライバ
　９　行方向用デジタルドライバ
１０　単純マトリックス駆動型液晶表示パネル。